(57)【要約】      （修正有）【課題】本願発明は、金属等の表面の傾斜や、障害物等を問題とすることなく適切な研磨や研削ができる手持ち式の研磨・研削用グラインダを提供することを目的とする。【解決手段】ホイール回転軸に設けられた略円形状のサンダーと、該サンドーを回転駆動すべくホイール回転軸に連結された駆動用モータと、該駆動用モータの設けられたケーシング本体とから構成された研磨・研削用グラインダにおいて、前記ケーシング本体には、交流電源からの電流を直流に変換する手段が実装された基盤１０と、直流電流の向きを切り換える切替えスイッチ１１を設けた。【選択図】図１
2006263900.tif 000002
【特許請求の範囲】
【請求項１】
ホイール回転軸に設けられた略円形状のサンダーと、該サンドーを回転駆動すべくホイール回転軸に連結された駆動用モータと、該駆動用モータの設けられたケーシング本体とから構成された研磨・研削用グラインダにおいて、前記ケーシング本体には、交流電源からの電流を直流に変換する手段が実装された基盤と、直流電流の向きを切り換える切替えスイッチの設けられていることを特徴とする研磨・研削用グラインダ。
【請求項２】
ホイール回転軸に設けられた略円形状のサンダーと、該サンダーを回転駆動すべくホイール回転軸に連結された駆動用モータと、該駆動用モータの設けられたケーシング本体とから構成された研磨・研削用グラインダにおいて、前記ケーシング本体には、交流電源からの電流を直流に変換する手段が実装された基盤と、直流電流の向きを切り換える切替えスイッチとがアダプターを介して接続されてることを特徴とする研磨・研削用グラインダ。
【発明の詳細な説明】
【発明の技術分野】
【０００１】本願発明は、通称サンダーと呼ばれている研磨用又は研削用として利用する手持ち式の研磨・研削用グラインダに関する。
【背景技術】
【０００２】金属製品の加工時等において、その金属表面を研磨したり、溶接後の表面処理等をするのに使用する手持ち式の研磨・研削用グラインダは、片手で手持ち式の研磨・研削用グラインダを把持した後、研磨用金属等の表面にサンダー板体を当接させ、該サンダー板体を駆動用モータで回転駆動して所望の研磨等をする。【０００３】上記手持ち式の研磨・研削用グラインダの一般的な構成は、駆動用モータの設けられたケーシング本体と、該ケーシング本体の一端側に設けられ、駆動用モータの回転軸とサンダー板体のホイール回転軸とが連結されたケーシングヘッドと、前記ケーシング本体の他端側に設けられ駆動スイッチの設けられた把持部とから構成されている。【０００４】そして、手持ち式の研磨・研削用グラインダは、サンダー板体部分の材質及びサンダー板体の研磨・研削時の粉塵の飛散を防ぐカバー本体については開発課題として種々の特許等が出願されている（例えば、実開平７−７８５９号等）。
【発明が解決しようとする課題】
【０００５】しかしながら、上記、従来の手持ち式の研磨・研削用グラインダは、サンダー板体のホイール回転軸の回転方法が一方向であり、このため研磨用金属等の表面が平面状である場合は、問題なく研磨したり、研削したりすることができるが、例えば、研磨用金属等の表面が手持ち式の研磨・研削用グラインダを把持した手と逆方向に傾斜していたり、又は研磨用金属等の表面の一方に障害物がある場合は、手持ち式の研磨・研削用グラインダを逆の手に持ち替えてサンダー板体をその傾斜に対応させたり、又は手持ち式の研磨・研削用グラインダを把持した作業者が体を入れ換えなければ研磨等できない場合において、作業者自ら移動することで研磨等しなければならず、不善であり作業効率が悪いという問題点があった。
【０００６】また、手持ち式の研磨・研削用グラインダは研磨時の粉末の飛散する方向がサンダー板体の回転方向に限定されるために、手持ち式の研磨・研削用グラインダを持ち替えたり、作業者が体を入れ換えたりすることで、研磨時の粉末の飛散する方向に問題（例えば、可燃性の物が載置されていたり等）が生じる場合があり適切な研磨や研削ができないという欠点があった。
【０００７】そこで、本発明は、金属等の表面の傾斜や、障害物等を問題とすることなく適切な研磨や研削ができる手持ち式の研磨・研削用グラインダを提供することを課題とする。
【課題を解決するための手段】
【０００８】本発明は上記のような課題を解決するために、ホイール回転軸に設けられた略円形状のサンダー板体と、該サンドー板体を回転駆動すべくホイール回転軸に連結された駆動用モータと、該駆動用モータの設けられたケーシング本体とから構成された手持ち式の研磨・研削用グラインダにおいて、ケーシング本体には、交流電源からの電流を直流に変換する手段が実装された基盤と、直流電流の向きを切り換える切替えスイッチが設けられていることを第１の解決手段とする。
【０００９】また、ホイール回転軸に設けられた略円形状のサンダー板体と、該サンダー板体を回転駆動すべくホイール回転軸に連結された駆動用モータと、該駆動用モータの設けられたケーシング本体とから構成された手持ち式の研磨・研削用グラインダにおいて、ケーシング本体には、交流電源からの電流を直流に変換する手段が実装された基盤と、直流電流の向きを切り換える切替えスイッチとがアダプターを介して接続されてることを第２の解決手段とする。
【発明の作用とその効果】
【００１０】本願発明は、手持ち式の研磨・研削用グラインダを片手に把持し研磨したり又は研削したりするための金属等の表面に、サンダー板体を当接した後、電源スイッチを入れて駆動用モータを駆動してホイール回転軸を介してサンダー板体を回転駆動する。
【００１１】金属等の表面が平面状であれば、この状態で研磨したり又は研削したりすることができるが、例えば、研磨用金属等の表面が手持ち式の研磨・研削用グラインダを把持した手と逆方向に傾斜していたり、又は研磨用金属等の表面の一方に障害物がある場合は、切替えスイッチにより駆動用モータの駆動方向を逆方向にすることで、手を持ち替えたりすることなく傾斜面を研磨したり又は研削したりすることができる。しかも、研磨時の粉末の飛散する方向も従来と逆方向にすることができるので、安全に研磨・研削することができる。
【００１２】また、従来の手持ち式の研磨・研削用グラインダに、交流電源からの電流を直流に変換する手段が実装された基盤と直流電流の向きを切り換える切替えスイッチとが設けられたアダプターを接続することにより、上記の手持ち式の研磨・研削用グラインダと同様にその駆動モータの駆動方向を逆方向にして使用することもできる。
【００１３】このように、本願発明は、交流電源からの電流を直流に変換する手段が実装された基盤と、直流電流の向きを切り換える切替えスイッチを設けることにより、駆動用モータの駆動方向を正逆方向に切り換えることにより、従来にない使用用途を拡大することができ、作業者の作業効率を格段に向上させることが可能となった。
【００１４】また、サンダー板体の回転方向を正逆方向に切り換えることにより、研磨時の粉末の飛散する方向を自在に調整することができ、手持ち式の研磨・研削用グラインダの使用する場所、使用方法を格段に広げることができる。
【００１５】また、アダプターを使用することにより、従来の手持ち式の研磨・研削用グラインダも同様に使用することができ、コストの面でもより経済的である。
【本願発明を実施するための一形態】
【００１６】以下、本願発明の手持ち式の研磨・研削用グラインダの実施の一形態について説明する。
【００１７】図１は、本願発明の実施形態である手持ち式の研磨・研削用グラインダを示す概略説明一部断面図である。
【００１８】本願発明の手持ち式の研磨・研削用グラインダ１は、駆動用モータ２の内装されたケーシング本体３と、該ケーシング本体３の一端側に設けられ、駆動用モータ２の回転軸４と該回転軸４に歯車を介して所望の角度を有して螺合されたホイール回転軸５の設けられたケーシングヘッド６と、該ケーシングヘッド６の下端側で前記ホイール回転軸５の先端側に固定された略円板状のサンダー板体７とから構成されている。
【００１９】前記ケーシング本体３の他端側には、始動スイッチ８の設けられた把持部９が取り付けられ、該把持部９には交流電源からの電流を直流に変換する手段が実装された基盤１０と、直流電流の向きを切り換える切替えスイッチ１１とが設けられている。
【００２０】上記交流電源からの電流を直流に変換する手段としては、例えば交流電源電圧を電源電圧周波数よりも高い所定周波数に変換した後に、整流された所定の直流低電圧に変換する交流／直流変換手段等が考えられる。
【００２１】本願発明の手持ち式の研磨・研削用グラインダ１は、上記ように構成されている。
【００２２】次に、手持ち式の研磨・研削用グラインダ１の作用について説明する。
先ず、手持ち式の研磨・研削用グラインダ１の把持部９を片手で把持し、金属等の研磨・研削面にサンダー板体７を当接する。その後、始動スイッチ８を入れて駆動用モータ２の回転軸４を回転しホイール回転軸５を回転してサンダー板体７を回転駆動することで、金属等の研磨・研削を行う。
【００２３】この研磨・研削時に、同じ片手で研磨・研削用グラインダ１を把持した状態では無理な面（例えば、手と逆方向に傾斜した面、又は一方に障害物があってサンダー板体７を当接しにくい面、又は作業者が体を入れ換えたりしないといけない場合等）が生じると、切替えスイッチ１１で駆動用モータ２の回転軸４の回転方向を逆転してサンダー板体７を逆方向に回転することで、同じ一方の手での研磨・研削用グラインダ１を把持した状態で金属等の研磨・研削を連続して行うことができる。
【００２４】しかも、研磨・研削用グラインダ１を把持した状態での研磨・研削時に粉末が飛散する方向に問題がある場合は、切替えスイッチ１１で駆動用モータ２の回転軸４の回転方向を逆転することで、安全な方向に粉末を飛散するようにすることができる。
【００２５】尚、上記実施例では、ケーシング本体３の他端側の把持部９に交流電源からの電流を直流に変換する手段が実装された基盤１０と、直流電流の向きを切り換える切替えスイッチ１１とを設けたが、本願発明はこれに限定されるものでなく、例えば、従来の手持ち式の研磨・研削用グラインダ１に交流電源からの電流を直流に変換する手段が実装された基盤１０と、直流電流の向きを切り換える切替えスイッチ１１とを設けられたアダプター（図示せず）を取り付けることで、本願発明と同様に駆動用モータ２の回転軸４の回転方向を正逆方向に回転駆動すべく構成することも可能である。
【００２６】このように、本願発明の手持ち式の研磨・研削用グラインダは、金属等の研磨・研削面を適切な状態で研磨したり又は研削したりすることができるので、研磨・研削時の作業効率の格段に向上することができる。
【００２７】しかも、研磨・研削用グラインダの取り扱いが容易であり、作業者が容易に利用することができる。
【図面の簡単な説明】
【００２８】
【図１】は、本願発明の実施形態である研磨・研削用グラインダを示す概略説明一部断面図。
【符号の説明】
【００２９】１…研磨・研削用グラインダ
【図１】
2006263900.tif 000003